(57)【要約】【課題】上側回転洗浄ノズルの噴射口から残水が滴下するのを速やかに止めること。【解決手段】洗浄水を噴射する噴射口を有する上側回転洗浄ノズルと、洗浄槽内に還流する洗浄水を吸い込み／加圧して上側回転洗浄ノズルに供給する洗浄ポンプとを備える食器洗い機にあって、前記噴射口は上側回転洗浄ノズルの内側低部から外側に向かって横向きに貫くように形成され、かつ噴射口の底側部から内側低部に向かって下り傾斜にしたことを特徴とする。【選択図】  図３
2005185446.tif 000002
【特許請求の範囲】
【請求項１】
洗浄槽と、この洗浄槽内に備えられる食器収納かごと、この食器収納かごの上側と前記洗浄槽の天井との間に位置し、かつ洗浄水を噴射する噴射口を有する上側回転洗浄ノズルと、前記洗浄槽内に還流する洗浄水を吸い込み／加圧して前記上側回転洗浄ノズルに供給する洗浄ポンプとを備える食器洗い機にあって、
前記噴射口は、上側回転洗浄ノズルの内側低部から外側に向かって横向きに貫くように形成され、かつ噴射口の底側部から前記内側低部に向かって下り傾斜にしたことを特徴とする食器洗い機。
【請求項２】
洗浄槽と、この洗浄槽内に備えられる食器収納かごと、この食器収納かごの上側と前記洗浄槽の天井との間に位置し、かつ洗浄水を噴射する噴射口を有する上側回転洗浄ノズルと、前記洗浄槽内に還流する洗浄水を吸い込み／加圧して前記回転洗浄ノズルに供給する洗浄ポンプを有し、前記上側回転洗浄ノズルは回転洗浄ノズル上片部材と、この回転洗浄ノズル上片部材に抱き合わされる回転洗浄ノズル下片部材とを有する食器洗い機において、
前記回転洗浄ノズル下片部材には下方に凹む窪み部を設け、
前記噴射口は前記窪み部の側部を外側に向かって横向きに貫いて形成され、かつ前記窪み部の底部が噴射口４０から内部側に向かって下り傾斜になっていることを特徴とする食器洗い機。
【請求項３】
請求項２記載の食器洗い機において、
前記噴射口の外側端面は、前記窪み部の側部よりも窪み部の内方側に位置することを特徴とする食器洗い機。
【請求項４】
請求項１〜３の何れか一つに記載された食器洗い機において、
前記上側回転洗浄ノズルは回転中心を中央にして左右に延びるアームを有し、
前記アームに設ける噴射口は、左側のアームと右側のアームでは逆向きになっていることを特徴とする食器洗い機。
【請求項５】
請求項４に記載された食器洗い機において、
前記洗浄槽の天井側に前記上側回転洗浄ノズルを回転自在に支持し、かつ上側回転洗浄ノズルに洗浄水を供給する洗浄水供給兼回転支持台を設け、この洗浄水供給兼回転支持台
の外周に環状の支持鍔を設け、
前記上側回転洗浄ノズルの中央上部には、前記洗浄水供給兼回転支持台が挿入される回転支持台受け穴を設け、かつ前記支持鍔の上面側に回転自在に係合する支持爪を設け、
前記上側回転洗浄ノズルの上面には、中央上部から前記アームに沿って長手方向に延び、かつ吐出口側を上側回転洗浄ノズルの反回転側に向けた漏水案内樋を設けたことを特徴とする食器洗い機。
【請求項６】
請求項５に記載された食器洗い機において、
前記漏水案内樋は、前記上側回転洗浄ノズルの上側に間隔を保って立設される二つのリブで形成したことを特徴とする食器洗い機。
【請求項７】
請求項４〜６の何れか一つに記載された食器洗い機において、
前記アームは先端側が前記上側回転洗浄ノズルの中央部より下がっていることを特徴とする食器洗い機。
【請求項８】
請求項４〜７の何れか一つに記載された食器洗い機において、
前記アームの先端には、洗浄水を放射方向に噴出する先端噴射口を設けたことを特徴とする食器洗い機。
【発明の詳細な説明】
【技術分野】
【０００１】
本発明は、洗浄水を噴射する回転洗浄ノズルが備わる食器洗い機に関する。
【背景技術】
【０００２】
この食器洗い機は、食器収納かごが洗浄槽の底側（下側）と天井側（上側）に出し入れ自在に備わる。天井側には上側回転洗浄ノズルが、底側には下側回転洗浄ノズルが設けられ、これらの回転洗浄ノズルは洗浄ポンプから加圧して送られた洗浄水を噴射口から噴射しながら回る。この噴射洗浄水で食器収納かごに置かれた食器類は洗われる。
【発明の開示】
【発明が解決しようとする課題】
【０００３】
洗浄ポンプの運転を止めると、上側回転洗浄ノズル内の洗浄水は噴射口から自然に抜ける。しかし、僅かに残った洗浄水は、雫となって滴下し続けるので、好ましくない。
【０００４】
本発明は、上記の問題に対処し、上側回転洗浄ノズルの噴射口から残水が滴下するのを速やかに止めることを目的とする。
【課題を解決するための手段】
【０００５】
本発明は、食器収納かごの上側に上側回転洗浄ノズルを有する食器洗い機にあって、この上側回転洗浄ノズルに設けられる噴射口が上側回転洗浄ノズルの内側低部から外側に向かって横向きに貫くように形成され、かつ噴射口の底側部から前記内側低部に向かって下り傾斜にしたことを特徴とする。
【発明の効果】
【０００６】
本発明によれば、噴射口の底側部から内側低部に向かって下り傾斜になっているので、上側回転洗浄ノズルの内部に残った洗浄水が噴射口に向かって流れなくなり、残り水の滴下が速やかに止まるのである。
【発明を実施するための最良の形態】
【０００７】
本発明の実施形態に係る実施例について、図1〜図４を引用して説明する。
【０００８】
この食器洗い機は、前面側が開閉自在なる蓋体で閉じられる開口を有する洗浄槽１を有する。食器類が載せられる食器収納かご３ａ、３ｂは、洗浄槽１の底側（下側）と天井側（上側）に出し入れ自在に備わる。
【０００９】
下側回転洗浄ノズル４ａ、４ｂ、上側回転洗浄ノズル５ａ、５ｂ、５ｃは、洗浄槽１の底側と天井側に回転自在に設けられる。下側回転洗浄ノズル４ａ、４ｂは、底側の食器収納かご３ａの下方に備わる。上側回転洗浄ノズル５ａ、５ｂ、５ｃは、天井側の食器収納かご３ｂの上側に備わる。下側回転洗浄ノズル４ａ、４ｂは、斜め上方に向けて洗浄水を噴射する。上側回転洗浄ノズル５ａ、５ｂ、５ｃは、斜め下方に向けて洗浄水を噴射する。
【００１０】
洗浄槽１に洗浄水を供給する給水手段としての給水弁６や給水管７、洗浄槽１の底部溜部に溜まる洗浄水の水位を検知する洗浄水位検知手段としてのフロート８や水位検知スイッチ９が備わる。
【００１１】
洗浄槽１内の洗浄水や乾燥空気を加熱する加熱手段としてのヒータ１０、洗浄槽１内の洗浄水の水温を検知する洗浄水温検知手段としての水温センサー１１、洗浄槽1内を還流する洗浄水を吸い込み／加圧して下側回転洗浄ノズル４ａ、４ｂ、側回転洗浄ノズル５ａ、５ｂ、５ｃに送る洗浄ポンプ１２、水流切り替え装置１３（洗浄ポンプ１２の洗浄水を下側回転洗浄ノズル４ａ、４ｂや上側回転洗浄ノズル５ａ、５ｂ、５ｃに切り替える）、水流切り替え装置１３から下側回転洗浄ノズル４ａ、４ｂに至る配管１４、水流切り替え装置１３から上側回転洗浄ノズル５ａ、５ｂ、５ｃに至る配管１５が備わる。
【００１２】
洗浄槽１の底部溜部に溜まる洗浄水を排水する排水手段としての排水ポンプや排水官１７、洗浄槽１の乾燥空気を送る送風手段としての電動送風機１８や通風ダクト１９が備わる。水流切り替え装置１３、給水手段、洗浄水温検知手段、加熱手段、排水手段、洗浄水位検知手段、洗浄ポンプ１２、送風手段等を制御するマイクロコンプュータで構成された制御手段が備わる。これらの装置や部品は、食器洗い機の外枠２０に備わる。
【００１３】
図２、図３、図４に示すように上側回転洗浄ノズル５ａ，５ｂ，５ｃは、洗浄槽１の天井側に吊り下がるように回転自在に設けられる。天井側から下方に突き出るように設けられている洗浄水供給口兼回転支持台３０は、内部に洗浄水供給穴３１を有する中空の形状をなしている。この洗浄水供給穴３１は配管１５に連通するようにつながれる。洗浄水供給口兼回転支持台３０に、上側回転洗浄ノズル５ａ，５ｂ，５ｃは回転自在に支持される。
【００１４】
上側回転洗浄ノズルは、回転中心になる中央から左右に延びるアームを有する。合成樹脂製の回転洗浄ノズル上片部材３２と合成樹脂製の回転洗浄ノズル下片部材３３を抱き合せて上側回転洗浄ノズルは形成される。抱き合せの接合面は、接着材または熱溶着あるいは超音波溶着等で接合される。上側回転洗浄ノズルの内部は中空になっている。
【００１５】
上側回転洗浄ノズルの回転洗浄ノズル上片部材３２は、中央に前記洗浄水供給口兼回転支持台３０を嵌め込む穴３４が設けられる。この嵌め込む穴３４に嵌る前記洗浄水供給口兼回転支持台３０の洗浄水供給穴３１から上側回転洗浄ノズルの内部に洗浄水が供給される。
【００１６】
前記洗浄水供給口兼回転支持台３０の外周には、リング状に支持鍔３５が設けられる。この支持鍔３５の上側に引っ掛かるように係合する複数または一対の係合爪３６が上側回転洗浄ノズルの回転洗浄ノズル上片部材３２に設けられる。この係合爪３６は前記嵌め込む穴３４の上方部位に設けられる。
【００１７】
この係合爪３６が前記洗浄水供給口兼回転支持台３０の支持鍔３５に引っ掛かるように係合する
ことにより、上側回転洗浄ノズルは前記洗浄水供給口兼回転支持台３０から脱落することなく、回転自在に支持されるのである。
【００１８】
上側回転洗浄ノズルの取り付けは、嵌め込む穴３４を前記洗浄水供給口兼回転支持台３０に嵌め込み、強く上側に押すことにより、支持鍔３５の下側に当接した係合爪３６が下方に湾曲するように撓んで支持鍔３５の上側に係合するようになるので、容易に行われる。
【００１９】
上側回転洗浄ノズルは噴射口４０を有する。噴射口４０は回転洗浄ノズル下片部材３３に設けられる。噴射口４０は、回転洗浄ノズル下片部材３３に下方に凹む窪み部４１を設け、この窪み部４１の側部を外部側に向かって横向きに貫いて形成される。しかも、窪み部４１の底部は、噴射口４０から内部側に向かって下り傾斜に形成されている。下り傾斜
の傾斜角度θは５°以下程度で、上側回転洗浄ノズルの内部に残った洗浄水の残水が噴射口４０から外側に滴下しない程度の傾きであれば足りる。
【００２０】
また噴射口４０の外側端面は、窪み部４１の側部よりも寸法Ｌだけ窪み部４１の内部側に位置するように形成されている。このように噴射口４０の外側端面を窪み部４１の側部と面一にしないで、窪み部４１の内部側にずらすことにより、成形用金型による噴射口４０が良く行われる。面一に形成しないので、噴射口が塞がって形成されたり、噴射口の回りに成形用バリが残る不具合等が生じないのである。
【００２１】
噴射口４０は上側回転洗浄ノズルの回転中心である中央から左右に延びるアームのところに設けられる。左側のアームと右側のアームでは、噴射口４０の向きが逆向きになるように設けられる。左／右のアームの噴射口４０から逆向きに噴射される洗浄水の反動で上側回転洗浄ノズルは良く回転する。
【００２２】
上側回転洗浄ノズルは、アームの先端側が中央部より下がった形状をなしている。アームの先端側には、先端噴射口４２が設けられる。先端噴射口４２から広範囲に噴射される洗浄水で、広範囲の洗浄ができる。先端噴射口４２は、上側回転洗浄ノズルの低いところに位置するため、上側回転洗浄ノズルの残水が抜けやすい。
【００２３】
上側回転洗浄ノズルは、図５に示すように、上側に漏水案内樋５０を有する。この漏水案内樋５０は、回転洗浄ノズル上片部材３２の上側に間隔を保って立設される二つのリブ５１で形成される。この二つのリブ５１は、上側回転洗浄ノズルの中央上部からアームに沿って長手方向に延び、かつ先端側に設ける吐出口５２が上側回転洗浄ノズルの反回転側に向けるように形成される。
【００２４】
この漏水案内樋５０は、上側回転洗浄ノズルと洗浄水供給口兼回転支持台３０との支持接続部分から漏れた洗浄水を集めて落下させる。
【００２５】
さて、食器収納かご３ａ，３ｂに食器類２ｂを取り付け、食器洗い機を運転すると、洗浄ポンプ１２から送られる圧力が高まった洗浄水が下側回転洗浄ノズル４ａ，４ｂおよび上側回転洗浄ノズル５ａ，５ｂ，５ｃに供給される。上側回転洗浄ノズルの噴射口４０から噴射する洗浄水の反動で、上側回転洗浄ノズルは回転する。上側回転洗浄ノズルから振り撒かれる噴射洗浄水で食器類２ｂが洗浄される。下側回転洗浄ノズル４ａ，４ｂも同様に噴射する洗浄水で食器類２ｂを洗浄する。
【００２６】
洗浄ポンプ１２の運転が止まると、上側回転洗浄ノズル５ａ，５ｂ，５ｃおよび下側回転洗浄ノズル４ａ，４ｂへの洗浄水の供給は止まる。この洗浄ポンプ１２が停止される際に上側回転洗浄ノズル５ａ，５ｂ，５ｃおよび下側回転洗浄ノズル４ａ，４ｂ内に残った洗浄水は、噴射口４０や先端噴射口４２から自然に抜ける。
【００２７】
この残水の自然排水では、僅かに残る残水が滴下する雫となって滴下する。しかし、本発明では上側回転洗浄ノズルの窪み部４１の底部が噴射口４０から内部側に向かって下り傾斜に形成されている。つまり、窪み部４１の底部よりも噴射口４０のところが高いので、僅かに残った残水が噴射口４０に向かって流れなくなり、水滴の滴下は速やかに止むので、雫の滴下が続く不具合が解消される。
【００２８】
食器洗い機の運転中に上側回転洗浄ノズルと洗浄水供給口兼回転支持台３０との支持接続部分から漏れた洗浄水は、漏水案内樋５０を流れて吐出口５２から纏まって落下する。こうして漏水を纏めて吐出口５２から落下させることで、少ない漏水でも洗浄作用の向上に役立てられる。
【００２９】
吐出口５２は、上側回転洗浄ノズルの反回転側に向けられているので、吐出口５２からに洗浄水の落下が円滑に行われ、洗浄作用に役立つ。上側回転洗浄ノズル反回転側に吐出口があると、吐出口から落下する洗浄水は、上側回転洗浄ノズルの下面に回り込んで散らばるので、纏まった落下が期待できなくなる。このような不具合が、吐出口５２を反回転側に向けることで、解消されるのである。
【図面の簡単な説明】
【００３０】
【図１】本発明の実施例に係わるもので、食器洗い機の縦断面図。
【図２】本発明の実施例に係わるもので、上側回転洗浄ノズルおよび洗浄水供給口兼回転支持台の縦断面図。
【図３】本発明の実施例に係わるもので、上側回転洗浄ノズルを下から見た下面図。
【図４】図３のＡ−Ａ断面図。
【図５】本発明の実施例に係わるもので、上側回転洗浄ノズルを上から見た平面図。
【符号の説明】
【００３１】
１…洗浄槽、３ａ…食器収納かご、５ａ，５ｂ，５ｃ…上側回転洗浄ノズル、１２…洗浄ポンプ、４０…噴射口、４１…凹む窪み部。
【図１】
2005185446.tif 000003
【図２】
2005185446.tif 000004
【図３】
2005185446.tif 000005
【図４】
2005185446.tif 000006
【図５】
2005185446.tif 000007